(57)【要約】【課題】ユーザの選択に応じたオリジナルのロック装置を装着可能に構成した開閉式構造体のロック機構を提供する。【解決手段】本体ケースと蓋ケースで構成されたスーツケースは、本体ケースの把手取付部１３の両側に把手１１が取り付けられ、把手１１の内側に装着部２３を有する押圧部２１が設けられ、押圧部２１の押圧による押上操作及び押下操作によって押圧部２１及び装着部２３の埋没及び表出を可能としており、表出している装着部２３にロック装置４を取り付けることで、押圧部２１の押下操作を不可能にしている。押圧部２１の押上状態においては、蓋ケースに固設された補助ロック用掛止体Ｂ３の可動が規制されていることから、本体ケースと蓋ケースを閉鎖した状態にロックすることができる。【選択図】図２
2017225601.tif 000002
【特許請求の範囲】
【請求項１】
基体とそれに対向する対向体とを所定箇所で位置決めして開閉する開閉式構造体のロック機構であって、
前記基体又は前記対向体の一方に固設された掛止体と、
前記基体又は前記対向体の他方に形成された掛止孔と、
前記掛止孔に挿通された前記掛止体の可動を規制する規制体と、
で構成され、
前記規制体は、
前記掛止体に当接する当接部と、
ロック装置を装着する装着部を有する押圧部と、
が一体形成されていることを特徴とする開閉式構造体のロック機構。
【請求項２】
前記規制体は、前記押圧部の押下状態において前記当接部の前記掛止孔への進入がなく、前記押圧部の押上状態において前記当接部の前記掛止孔への進入があることを特徴とする請求項１記載の開閉式構造体のロック機構。
【請求項３】
前記規制体は、前記押圧部の押下状態において前記装着部は埋没し、前記押圧部の押上状態において前記装着部は表出していることを特徴とする請求項１又は２記載の開閉式構造体のロック機構。
【請求項４】
前記基体は本体ケース、前記対向体は蓋ケースであり、前記本体ケースと前記蓋ケースとがヒンジ部を介して開閉自在とされ、ＴＳＡロックが備えられたスーツケースに用いることを特徴とする請求項１から３のいずれか記載の開閉式構造体のロック機構。
【発明の詳細な説明】
【技術分野】
【０００１】
本発明は、開閉可能な構造を持つ開閉式構造体にロック装置を装着可能に構成したロック機構に関する。
【背景技術】
【０００２】
スーツケース等の開閉式構造体では、予め組み付けられたメインのロック機構とは別に、スーツケースの外周に帯状のバンドを巻いて締め付けバックルで固定した上に鍵を取り付けたり、メインロックとは別にサブの補助ロック機構が予め組み付けられていたりする。これは、メインのロック機構がＴＳＡロックであり、空港内での荷物検査の際にメインのＴＳＡロックを解除して保安検査官による荷物検査が行われることから、この際には補助ロックを使用しないのが普通である。
【０００３】
一方、メインのＴＳＡロックに合わせて補助ロックも同時に使用する場合があり、意図しないＴＳＡロックの解除が発生しても、補助ロックによってスーツケースの開放を阻止して、閉状態を保持することができる。
【０００４】
特許文献１に記載のスーツケース用ロック装置は、メインロック機構とは別に補助ロック機構を組み付け、補助ロック機構として押しボタン式ロック機構とした例が開示されており、メインロック機構が破壊されても、補助ロック機構によってスーツケースの閉状態を保持している。
【先行技術文献】
【特許文献】
【０００５】
【特許文献１】実用新案登録第３１３５７７９号公報（段落［００１５］）
【発明の概要】
【発明が解決しようとする課題】
【０００６】
しかしながら、特許文献１のスーツケース用ロック装置は、押しボタンの押圧操作によりスーツケースの閉状態を保持しているに過ぎず、意図しない押圧操作があった場合には簡単に閉状態を解除されてしまう。特に、予め組み付けられたメインのロック機構の信頼性が疑われると、そこに予め組み付けられた補助ロックの信頼性も疑わざるを得なくなることから、ユーザの選択に応じたオリジナルの補助ロックによる方が安心感は高まる。
【０００７】
そこで、本発明は、ユーザの選択に応じたオリジナルのロック装置を装着可能に構成した開閉式構造体のロック機構を提供する。
【課題を解決するための手段】
【０００８】
本発明は、上記課題を解決するために、以下のものを提供する。
【０００９】
（１）  基体とそれに対向する対向体とを所定箇所で位置決めして開閉する開閉式構造体のロック機構であって、前記基体又は前記対向体の一方に固設された掛止体と、前記基体又は前記対向体の他方に形成された掛止孔と、前記掛止孔に挿通された前記掛止体の可動を規制する規制体と、で構成され、前記規制体は、前記掛止体に当接する当接部と、ロック装置を装着する装着部を有する押圧部と、が一体形成されていることを特徴とする開閉式構造体のロック機構。
【００１０】
本発明によれば、掛止体に当接する当接部とロック装置を装着する装着部を有する押圧部とが一体形成されている規制体は、その当接部と掛止体とが当接して掛止することによりロック機能を発揮し、さらに装着部にロック装置を装着することによりロック装置による確実なロック機能が発揮されて閉状態を保持できることから、ユーザの所望するロック装置によって安心かつ確実なロック機能を実現することができる。
【００１１】
（２）  前記規制体は、前記押圧部の押下状態において前記当接部の前記掛止孔への進入がなく、前記押圧部の押上状態において前記当接部の前記掛止孔への進入があることを特徴とする開閉式構造体のロック機構。
【００１２】
本発明によれば、押圧部の押下状態においては当接部の掛止孔への進入がないことから、掛止体は掛止孔に自在に挿通でき、ひいては基体と対向体との開閉を自在に行うことができる。一方で、押圧部の押上状態においては当接部の掛止孔への進入があることから、掛止体は掛止孔への挿通を阻害され、或いは、掛止孔に挿通された掛止体の可動を規制するストッパー機能を発揮し、ひいては基体と対向体との開閉が制限される。このように、押圧部の押上及び押下によってロック機能を実現することができる。
【００１３】
（３）  前記規制体は、前記押圧部の押下状態において前記装着部は埋没し、前記押圧部の押上状態において前記装着部は表出していることを特徴とする開閉式構造体のロック機構。
【００１４】
本発明によれば、押圧部の押下状態において装着部は埋没していることから、装着部にロック装置を装着することができない。また、押圧部の押下状態においては、掛止体は掛止孔に自在に挿通でき、基体と対向体との開閉を自在に行うことができる状態であり、装着部にロック装置を装着する必要性がない。一方、押圧部の押上状態において装着部は表出していることから、装着部にロック装置を装着することができる。また、押圧部の押上状態においては、掛止体は掛止孔への挿通を阻害され、或いは、掛止孔に挿通された掛止体の可動を規制するストッパー機能を発揮し、基体と対向体との開閉が制限される状態であり、装着部にロック装置を装着する必要性がある。このように、ロック機能の実現とロック装置の装着とが相俟った押圧部の機能を提供することができる。
【００１５】
（４）  前記基体は本体ケース、前記対向体は蓋ケースであり、前記本体ケースと前記蓋ケースとがヒンジ部を介して開閉自在とされ、ＴＳＡロックが備えられたスーツケースに用いることを特徴とする開閉式構造体のロック機構。
【００１６】
本発明によれば、ＴＳＡロックが備えられたスーツケースに上述したロック機構を用いることにより、意図しないＴＳＡロックの解除があった場合でも、掛止体と掛止孔と規制体とで構成された補助的なロック機構によって安心かつ確実なロック機能を実現することができる。
【発明の効果】
【００１７】
本発明の開閉式構造体のロック機構は、ロック機能の実現とロック装置の装着とが相俟った押圧部の機能を提供し、ユーザの所望するロック装置によって安心かつ確実なロック機能を実現することができる。
【図面の簡単な説明】
【００１８】
【図１】ＴＳＡロックが備えられたスーツケースを示す図である。
【図２】サブロック機構の構成を示す概略図である。
【図３】サブロック機構にロック装置を装着した例を示す図である。
【図４】本発明の実施の形態に係るロック機構の動作を説明するための図である。
【図５】本発明の実施の形態に係るロック機構の動作を説明するための図である。
【発明を実施するための形態】
【００１９】
以下、本発明の実施の形態について図面に基づいて説明する。なお、以下は図１に示すようなスーツケースの例に基づいて説明するが、本発明はこれに限らず、金庫、扉、鞄など開閉自在とされる構造体であれば何れにも適用可能である。
【００２０】
図１は、ＴＳＡロックが備えられたスーツケース１を示す図である。スーツケース１は、基体としての本体ケース１Ａと、対向体としての蓋ケース１Ｂと、がヒンジ部１Ｃを介して連結され開閉自在になっている。本体ケース１Ａの長手方向中央には把手１１が設置され、本体ケース１Ａの短手方向の一方の側壁に移動用キャスタ１２が設置される。把手１１の両側にはＴＳＡロック１０が組み付けられて、閉鎖状態にロックするためのメインロック用掛止体Ｂ１，Ｂ２が蓋ケース１Ｂの所定位置に固設される。なお、メインロック機構としてのＴＳＡロックは既知のものである。
【００２１】
把手１１の内側には、ロック装置を装着可能な補助的なロック機構が組み付けられて、閉鎖状態にロックするための補助ロック用掛止体Ｂ３が蓋ケース１Ｂの所定位置に固設部３１で固設される。以下、図２〜図５を用いて補助ロック機構の構成及び動作について説明する。
【００２２】
図２は、補助ロック機構の構成を示す概略図である。把手１１の内側に位置し、把手１１の回転操作を容易にする回転機構が組み付けられた本体ケース１Ａの把手取付部１３は、規制体２０を内部に収容するための空隙が形成されている。この空隙から把手１１側の外方向に向かって形成された表出窓に装着部２３を有する押圧部２１を位置させ、押圧部２１の押圧による押上操作及び押下操作によって押圧部２１及び装着部２３の埋没及び表出を可能としている。また、空隙には当接部２２を位置させて対向する補助ロック用掛止体Ｂ３を挿通可能な掛止孔１４を形成しており、当接部２２の位置によって掛止孔１４の空隙領域の大小が変化する。補助ロック用掛止体Ｂ３は、掛止孔１４への進入及び掛止孔１４に進入して挿通された可動を空隙領域の大小によって規制される。
【００２３】
図３は、補助ロック機構にロック装置３を装着した例を示す図であり、補助ロック用掛止体Ｂ３が掛止孔に挿通されて規制体により補助ロック用掛止体Ｂ３の可動が規制された状態において、装着部２３にロック装置４を装着している。ロック装置４が装着部２３に装着されていることから、押圧部２１の押下ができないストッパーとしての機能が発揮され、補助ロック用掛止体Ｂ３の可動が規制された状態を維持することができる。すなわち、本体ケース１Ａと蓋ケース１Ｂとを閉鎖した状態にロックすることができる。
【００２４】
図４は、本発明の実施の形態に係るロック機構の動作を説明するための図であり、（ａ）はロック前の状態、（ｂ）はロック途中の状態、（ｃ）はロック後の状態である。
【００２５】
図４（ａ）において、規制体２０の押圧部２１の押下状態では当接部２２の掛止孔１４への進入がないことから、補助ロック用掛止体Ｂ３のハサミ部３２は掛止孔１４に挿通可能である。次に、図４（ｂ）において、掛止体Ｂ３が掛止孔１４に挿通された状態で押圧部２１を押圧すると、図４（ｃ）において、把手取付部１３に埋没していた押圧部２１及び装着部２３が表出して押上げられるとともに、当接部２２が掛止孔１４内に押上げられて、ハサミ部３２と当接部２２とが当接して掛合する。図４（ｃ）の状態においては、押圧部２１を押下げてハサミ部３２と当接部２２との掛合を解除しなければ本体ケース１Ａと蓋ケース１Ｂとを開放することができず、さらに図３に示すようにロック装置４を装着部２３に装着してロックことで開放不能にすることができる。
【００２６】
図５は、本発明の実施の形態に係るロック機構の動作を説明するための図であり、（ａ）はロック前の状態、（ｂ）はロック後の状態である。
【００２７】
図５（ａ）において、規制体２０の押圧部２１の押下状態では当接部２２の掛止孔１４への進入がないことから、補助ロック用掛止体Ｂ３のハサミ部３２は掛止孔１４に挿通可能である。図５（ｂ）において、掛止体Ｂ３が掛止孔１４に挿通された状態で押圧部２１を押圧すると、把手取付部１３に埋没していた押圧部２１及び装着部２３が表出して押上げられるとともに、当接部２２が掛止孔１４内に押上げられて、ハサミ部３２と当接部２２とが当接して掛合する。図５（ｂ）の状態においては、押圧部２１を押下げてハサミ部３２と当接部２２との掛合を解除しなければ本体ケース１Ａと蓋ケース１Ｂとを開放することができず、さらに図３に示すようにロック装置４を装着部２３に装着してロックことで開放不能にすることができる。
【００２８】
なお、図１から図５においては、押圧部２１と装着部２３とは物理的に分離して一体形成されている例を示しているが、これに限らず、押圧部２１の直下に貫通孔を設けて装着部としたものや、押上状態において装着部が表出する一方、押下状態において装着部が押圧部２１内に収容されるものなど、物理的に一体となっていてもよい。
【００２９】
また、図１から図５においては、補助ロック用掛止体Ｂ３のハサミ部３２の開放側壁と当接部２２とが当接して掛合する例を示しているが、これに限らず、掛止体Ｂ３に閉鎖孔を形成して、かかる閉鎖孔に棒状の当接部が挿通されて掛合されるものなどでもよい。
【産業上の利用可能性】
【００３０】
本発明に係る開閉式構造体のロック機構は、簡易的かつ視覚的に容易にロック機能の実現とロック装置の装着とが相俟った押圧部の機能を提供し、ユーザの所望するロック装置によって安心かつ確実なロック機能を実現するものとして産業上有用である。
【符号の説明】
【００３１】
１    スーツケース（開閉式構造体）
１Ａ  本体ケース（基体）
１Ｂ  蓋ケース（対向体）
１Ｃ  ヒンジ部
１１  把手
１２  移動用キャスタ
１３  把手取付部
１４  掛止孔
Ｂ１，Ｂ２  メインロック用掛止体
Ｂ３  補助ロック用掛止体
２０  規制体
２１  押圧部
２２  当接部
２３  装着部
３１  固設部
３２  ハサミ部
４    ロック装置
【図１】
2017225601.tif 000003
【図２】
2017225601.tif 000004
【図３】
2017225601.tif 000005
【図４】
2017225601.tif 000006
【図５】
2017225601.tif 000007